(57)【要約】【課題】引戸の厚さ方向に衝撃的な力がかかっても損傷を受けることがないような構成を提供する。【解決手段】引戸３の上側がその開閉方向１８に走行可能に吊られるとともに下側が開閉方向にすべり可能に案内される引戸装置１であって、引戸は、光を透過させないパネル部９ａ，９ｂと、これら光不透過性部分同士の間に設けられ光を透過させる合成樹脂部１３とを有する。光透過性合成樹脂部の下端を光不透過性パネル部の下端面から上方に後退させ、光不透過性パネル部の下端面の引戸開閉方向に溝状の凹み７を形成し、該凹みに硬質材で形成されるとともに長手方向に延長する溝２４を有する棒状部材２２を、該溝が下方に開口するように嵌着する。これにより該棒状部材が光不透過性パネル部の間に跨って設けられ、かつ光透過性合成樹脂部の下端が該棒状部材の上端に当接された状態となる。【選択図】図５
2011185040.tif 000002
【特許請求の範囲】
【請求項１】
引戸の上側が該引戸の開閉方向に走行可能に吊られるとともに該引戸の下側が前記開閉方向にすべり可能に案内される引戸装置であって、前記引戸は、光を透過させない複数の縦長板状の光不透過性部分と、これら光不透過性部分同士の間に設けられ光を透過させる縦長板状の光透過性部分とを有し、該光透過性部分の下端を前記光不透過性部分の下端面から上方に後退させ、前記光不透過性部分の下端面の前記開閉方向に溝状の凹みを形成し、該凹みに硬質材で形成されるとともに長手方向に延長する溝を有する棒状部材を、該溝が下方に開口するように嵌着することにより該棒状部材を光不透過性部分同士の間に跨って設け、かつ前記光透過性部分の下端を該棒状部材の上端に当接させてなる引戸装置。
【発明の詳細な説明】
【技術分野】
【０００１】
本発明は、引戸の上側が走行可能に吊られる引戸装置に係り、特に引戸の下部構造に関する。
【背景技術】
【０００２】
引戸装置としては、特開２００２−４７４５号公報に開示されたものが知られている。この引戸装置は、その引戸の下端面にガイド溝部材が嵌設され、床面に固設されるガイドピンを遊嵌し、引戸がその厚さ方向に振れるのを防止する。
【特許文献１】特開２００２−４７４５号公報
【発明の開示】
【発明が解決しようとする課題】
【０００３】
しかしながら、上記引戸装置は、引戸の厚さ方向に振れるのを防止するものであるが、引戸の厚さ方向に何らかの衝撃力が加わった場合、引戸が局部的に損傷を受けるおそれがあった。
【０００４】
本発明が解決しようとする課題は、引戸の厚さ方向に衝撃的な力がかかっても損傷を受けることがないことである。
【課題を解決するための手段】
【０００５】
（削除）
【０００６】
（削除）
【０００７】
この課題を解決するため、本発明は、引戸の上側が該引戸の開閉方向に走行可能に吊られるとともに該引戸の下側が前記開閉方向にすべり可能に案内される引戸装置であって、前記引戸は、光を透過させない複数の縦長板状の光不透過性部分と、これら光不透過性部分同士の間に設けられ光を透過させる縦長板状の光透過性部分とを有し、該光透過性部分の下端を前記光不透過性部分の下端面から上方に後退させ、前記光不透過性部分の下端面の前記開閉方向に溝状の凹みを形成し、該凹みに硬質材で形成されるとともに長手方向に延長する溝を有する棒状部材を、該溝が下方に開口するように嵌着することにより該棒状部材を光不透過性部分同士の間に跨って設け、かつ前記光透過性部分の下端を該棒状部材の上端に当接させてなることを特徴とする引戸装置である。
【０００８】
光透過性部分がガラス板、合成樹脂板などで形成され比較的損傷を受けやすい材料であっても、棒状部材は光不透過性部分を跨って設けられるので、床に固定した案内部からの反力は、光透過性部分に直接かからず棒状部材を介して光不透過性部分の下端面の凹み全体で受けるので、引戸は損傷を受けることがない。
【０００９】
次に本発明を構成する各要件についてさらに詳しく説明する。本発明の引戸装置は、引戸の上側が建物の躯体に対して引戸の開閉方向に走行可能に吊られ、下側が開閉方向にすべり可能に案内される。具体的には、たとえば引戸の上側に戸車を設け、この戸車が建物などの躯体に設けられる上吊り用レール内を転動し走行可能に形成される。さらに、引戸の下端面に嵌着される棒状部材の溝に、床に固定したピンなどの案内部をすべり可能に挿入させ、引戸が開閉方向に移動する際の引戸の厚さ方向の振れを防止する。
【００１０】
引戸の溝状の凹みの形状は、特に限定されないが、開閉方向に垂直な面で切断した断面形状は、コの字形、Ｕ字形、異形コの字形、異形Ｕ字形などである。また、棒状部材は凹みに嵌入されるので、引戸の下端面の開閉方向（または引戸の幅方向）の両端は一体的に連結している。
【００１１】
引戸は光不透過性部分と光透過性部分とからなり、光不透過性部分は複数枚、光透過性部分は１枚以上を用いる。光不透過性部分はＭＤＦなどの繊維板、木質材などの木質系、金属系、不透明樹脂から形成される合成樹脂系などあるいはこれらの複数種を組み合わせた框組体や骨組体に化粧シートなどの化粧材を貼着した表面板を張ったものや無垢材などである。光不透過性部分の大きさは、高さ１９８０ｍｍ前後、幅１５０〜５５０ｍｍ、厚さ３０ｍｍ前後である。
【００１２】
光透過性部分は、透明、半透明の材質で形成され、ガラス、アクリル、その他の合成樹脂あるいはこれらの複数種を組み合わせた材料で形成されると良い。光透過性部分の表面に各種模様を形成しても良い。光透過性部分の大きさは、高さ１９８０ｍｍ前後、幅８０〜２４０ｍｍで、厚さは光不透過部分の厚さ以下とし、たとえば８ｍｍ前後である。
【００１３】
棒状部材は、ステンレス、アルミニウム、硬質合成樹脂などで形成され、その長手方向に延長する溝を有する。溝の断面形状は、コの字形、Ｕ字形、異形コの字形、異形Ｕ字形などである。
【発明の効果】
【００１４】
本発明の引戸装置によれば、引戸の厚さ方向に衝撃力が加わっても損傷を受けることがない。
【発明を実施するための最良の形態】
【００１５】
以下、本発明に係る引戸装置の実施形態を図面に基いて詳細に説明する。なお、図１〜８において、同一または同等部分には同一符号を付けて示す。
【実施例１】
【００１６】
図１は、本発明に係る引戸装置の一実施形態を示す正面図である。図２は、図１に示す引戸装置の右側面図である。本実施形態の引戸装置１は、住宅の室間または部屋間あるいは室（部屋）と屋外とを仕切る壁の開口部や収納庫、家具などの開口部に設けられるものである。そして、引戸装置１は、引戸本体３の上側が該引戸の開閉方向１８(図１における左右方向または引戸本体３の幅方向)に走行可能に吊られるとともに引戸本体３の下側が開閉方向１８にすべり可能に案内される。
【００１７】
さらに、引戸装置１は、引戸本体３の上側と横枠部材４８との間に上側支持装置３６、引戸本体３の下側と床４６との間に下側案内装置２０が設けられる。上側支持装置３６は、引戸本体３の上両隅二箇所であるが、下側案内装置２０は、図１において引戸本体３の下右隅に一箇所設けられる。
【００１８】
引戸本体１は、光を透過させない二つの縦長板状のパネル部（光不透過性部分）９ａ、９ｂと、これらパネル部９ａ、９ｂ同士の間に設けられ、かつ光を透過させる縦長板状の合成樹脂板部（光透過性部分）１３とを有する。パネル部９ａ、９ｂは、ＭＤＦ、木質材などから形成される框組体または単体材に化粧表面板を合わせたものまたは化粧シートを貼着したもので厚さは３０ｍｍ程度である。合成樹脂板部１３は厚さ８ｍｍのアクリル板である。パネル部９ａの高さ方向略中央位置には取手５０が設けられる。
【００１９】
上側支持装置３６は、引戸本体の上側左右隅に設けられる引戸側支持部３８と、横枠部材４８側に設けられる図示していない上吊り用レールのアリ溝に沿って転動、走行可能な横枠側支持部４０と、引戸側支持部３８と横枠側支持部４０とを連結する連結棒部材４３とからなる。引戸本体３は、これら二つの上側支持装置３６によって吊られ、かつ開閉方向１８に移動可能である。
【００２０】
引戸側支持部３８は、引戸本体３の上隅に設けられた凹みに嵌入され固定されるが、連結棒部材４３を介して引戸本体３の吊り高さを調整する機構が内蔵されると良い。横枠側支持部４０は、横枠部材４８に設けた上吊り用レールのアリ溝に沿って転動する四つの戸車４１と、戸車４１を軸支する軸受体４２とを有する。
【００２１】
図３は、図１に示す引戸装置のＡ−Ａ線断面図である。引戸本体３は、パネル部９ａ、９ｂと、これらの間に設けられる合成樹脂板部１３とを有するが、パネル部９ａと９ｂの対向する木口およびパネル部９ａまたは９ｂと対向する合成樹脂板部１３の木口には各々ダボ穴１０、１４が形成され、パネル部９ａまたは９ｂと合成樹脂板部１３はダボ１６で連結される。ダボ穴１０、１４またはダボ１６の高さ方向位置は適宜の位置とし、ダボ１６の数は、たとえば片側で１０箇所、両側合わせて２０箇所である。
【００２２】
図４は、図１に示す引戸装置のＢ−Ｂ線断面図である。下側案内装置２０は、引戸本体３の下端面５に形成された凹み７に嵌着された棒状部材２２と、この棒状部材２２の溝２４にすべり可能なように挿入されるピン２８とを備える。ピン２８は、座３０に固着され、座３０は床４６に図示していないビスなどで固定され床に立設される。棒状部材２２は、ステンレス、アルミニウムなど剛性の高い硬質材で形成されるとともに、その長手方向３３に延長する溝２４を有し、溝２４が下方に開口するように引戸本体の凹み７に嵌着される。
【００２３】
図５は、図１に示す引戸装置の下部正面拡大図である。図６は、図５に示す引戸装置のＣ−Ｃ線断面図である。図７は、図５に示す引戸装置のＤ−Ｄ線断面図である。図８は、図５に示す引戸装置の下面図である。棒状部材２２は、引戸本体の凹み７に嵌着され、パネル部９ａと９ｂとの間に跨って設けられる。棒状部材２２は、五つの固定ビス２６によりパネル部９ａ、９ｂに固定され、かつ、図６に示すように、棒状部材２２の下端２３は引戸本体の下端面５より突出しないように形成される。さらに、図７に示すように、合成樹脂板部の下端１５は棒状部材の上端２５に当接させるように形成され、合成樹脂板部１３には凹み７が形成されていない。
【００２４】
また、この実施形態においては合成樹脂板部１３はパネル部９ａ、９ｂよりも薄く、たとえばパネル部９ａ、９ｂの厚さ３０ｍｍ程度に対して合成樹脂板部１３の厚さは８ｍｍである。因みに、棒状部材２２の前後方向（図７の紙面において左右方向）における幅寸法を１０ｍｍとしている。また、図８に示すように、凹み７の両端に合成樹脂材などで形成された端部材３１が嵌入されても良い。
【００２５】
以上の構造を有する本実施形態の引戸装置１は、次のように作用する。すなわち、図４において、引戸本体の厚さ方向１９に予期しない衝撃的な力が加わった場合、引戸本体３は床４６に固定したピン２８から反力を受ける。この反力はピン２８から棒状部材２２を介して引戸本体の凹み７に伝達される。しかし、棒状部材２２は硬質材で形成されるので床に固定されたピン２８からの反力はこの棒状部材２２によって分散され凹み７全体に伝達される。
【００２６】
さらに、図８に示すように、引戸本体の凹み７は、その開閉方向１８の両端が厚さ方向１９に一体的に連結されているので凹み７部分の強度は大きい。これによって引戸本体３は局部的な損傷を受けることがない。
【００２７】
また、合成樹脂板部１３が比較的損傷を受けやすい材料であっても、棒状部材２２は合成樹脂板部１３を跨って設けられるので、床に固定したピン２８からの反力は、合成樹脂板部１３に直接かからずパネル部９ａ、９ｂの下端面の凹み７全体で受けるので、引戸本体３は損傷を受けることがない。
【００２８】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００２９】
本発明の引戸装置は、住宅の室または部屋間あるいは室（部屋）と屋外とを仕切る壁の開口部や収納庫、家具などに好適に利用可能である。
【図面の簡単な説明】
【００３０】
【図１】本発明に係る引戸装置の一実施形態を示す正面図である。
【図２】図１に示す引戸装置の右側面図である。
【図３】図１に示す引戸装置のＡ−Ａ線断面図である。
【図４】図１に示す引戸装置のＢ−Ｂ線断面図である。
【図５】図１に示す引戸装置の下部正面拡大図である。
【図６】図５に示す引戸装置のＣ−Ｃ線断面図である。
【図７】図５に示す引戸装置のＤ−Ｄ線断面図である。
【図８】図５に示す引戸装置の下面図である。
【符号の説明】
【００３１】
１ 引戸装置
３ 引戸本体（引戸）
５ 下端面
７ 凹み
９ａ、９ｂ パネル部（光不透過性部分）
１３ 合成樹脂板部（光透過性部分）
１８ 開閉方向
２０ 下側案内装置
２２ 棒状部材
２４ 溝
２８ ピン（案内部）
３０ 座（案内部）
３３ 長手方向
【図１】
2011185040.tif 000003
【図２】
2011185040.tif 000004
【図３】
2011185040.tif 000005
【図４】
2011185040.tif 000006
【図５】
2011185040.tif 000007
【図６】
2011185040.tif 000008
【図７】
2011185040.tif 000009
【図８】
2011185040.tif 000010